(57)【要約】【課題】本体背面側から吸気を行うことによる不都合を解消し、吸気側と排気側とで空気の流れの短絡がなく、冷却効率の良い、しかも設置性の良い誘導加熱調理器を提供する。【解決手段】本体１内部を冷却する冷却風の吸気口２を本体背面側に有し、前記冷却風の排気口５を本体１上面に有する誘導加熱調理器であって、前記吸気口２を有する吸気口面３が本体背面を本体１の幅全体にわたってほぼ一様に窪ませた構成とする。【選択図】図１
2008071697.tif 000002
【特許請求の範囲】
【請求項１】
本体内部を冷却する冷却風の吸気口を本体背面側に有し、前記冷却風の排気口を本体上面に有する誘導加熱調理器であって、
前記吸気口を有する吸気口面が本体背面を本体の幅全体にわたってほぼ一様に窪ませて構成されていることを特徴とする誘導加熱調理器。
【請求項２】
前記本体背面は、上部背面とこの上部背面より窪んだ位置にある下部背面とを有し、前記吸気口面は少なくとも前記下部背面として構成され、前記上部背面と前記下部背面とが傾斜面で接続されていることを特徴とする請求項1記載の誘導加熱調理器。
【請求項３】
前記傾斜面にも吸気口を設けたことを特徴とする請求項２記載の誘導加熱調理器。
【請求項４】
前記傾斜面の内側が本体内部を冷却する冷却風路の一部となっていることを特徴とする請求項２または３記載の誘導加熱調理器。
【請求項５】
前記本体背面は電源コードの屈曲半径よりも大きな窪み部を有し、前記窪み部の内側に前記電源コードの導出口を設けたことを特徴とする請求項１乃至４のいずれかに記載の誘導加熱調理器。
【請求項６】
前記電源コードの導出口を前記窪み部の傾斜面に設けたことを特徴とする請求項５記載の誘導加熱調理器。
【請求項７】
前記本体背面は、本体に対して着脱可能な背面プレートで構成され、前記背面プレートの固定を、上部は後方側へ突出部のないフラットな取付構造とし、下部の窪み部は締着構造とすることを特徴とする請求項１乃至６のいずれかに記載の誘導加熱調理器。
【発明の詳細な説明】
【技術分野】
【０００１】
本発明は、キッチン組み込み型またはキッチン据え置き型として使用される誘導加熱調理器に関する。
【背景技術】
【０００２】
従来の誘導加熱調理器として、本体の上面後部に吸気口と排気口を設け、本体内部には吸気専用ファンと排気専用ファンを設け、吸気口より吸引した冷却風により加熱コイルや加熱コイルを駆動する制御基板等を冷却するものがあった（例えば、特許文献1参照）。
【０００３】
【特許文献１】特開平１１−３５４２６４号公報（第２−３頁、図１、図６）
【発明の開示】
【発明が解決しようとする課題】
【０００４】
しかし、上記のような冷却構造では、吸気口と排気口とが同一の本体上面に設けられているため、吸気側と排気側とで空気の流れが短絡する可能性があり、本体内部の冷却が低下するおそれがあった。また、最近の誘導加熱調理器は一段と高出力化が図られる傾向にあり、それに伴い発熱量も増加する。その対策として冷却ファンの大型化や個数の増加はスペースの問題やコスト面での問題等があり、限界がある。したがって、可能な限り冷却ファンを大型化することなく、またファン設置数を増やすことなく、効率の良い冷却構造とすることが望まれる。
本発明は、本体背面側から吸気を行うものであり、このような冷却構造に関する特許文献等は見当たらなかった。しかし、本体背面側から吸気を行うようにすると、誘導加熱調理器をキッチンの壁面に密接した場合に吸気を行いにくいという問題があり、また壁面との隙間にごみなどが入るという問題があった。
【０００５】
本発明は、上記のような課題に鑑み、本体背面側から吸気を行うことによる不都合を解消し、吸気側と排気側とで空気の流れの短絡がなく、冷却効率の良い、しかも設置性の良い誘導加熱調理器を提供することを目的としている。
【課題を解決するための手段】
【０００６】
前記課題を解決するため、本発明に係る誘導加熱調理器は、本体内部を冷却する冷却風の吸気口を本体背面側に有し、前記冷却風の排気口を本体上面に有する誘導加熱調理器であって、前記吸気口を有する吸気口面が本体背面を本体の幅全体にわたってほぼ一様に窪ませて構成されていることを特徴とするものである。
【発明の効果】
【０００７】
このように構成することにより、吸気口と排気口とは同一面になく異なる面にあるため、吸気側と排気側とで空気の流れが短絡するようなことは生じない。また、吸気口を有する吸気口面が本体背面を本体の幅全体にわたってほぼ一様に窪ませて構成されているので、キッチン側の壁面に誘導加熱調理器を密接させても吸気を確保できる。したがって、本発明によれば、誘導加熱調理器の冷却効率が向上し、かつ設置性が良いという効果がある。また、誘導加熱調理器の高出力化にも十分に対応できるものとなる。
【発明を実施するための最良の形態】
【０００８】
実施の形態１．
図１、図２は本発明の実施の形態１におけるキッチン据え置き型の誘導加熱調理器を示すもので、図１はその誘導加熱調理器の概略斜視図、図２は概略側面図である。
【０００９】
この誘導加熱調理器は、箱型に形成された本体１と、本体背面側に設けられた、本体１の内部を冷却する冷却風の吸気口２と、本体上面の後部に設けられた冷却風の排気口５と、本体内部に設けられた冷却ファン６とを備え、さらにトッププレート（図示せず）上に載置された被調理用鍋（図示せず）を誘導加熱で加熱するとともに、冷却ファン６からの冷却風により冷却される複数の加熱コイル７と加熱コイル７を駆動する制御基板（図示せず）等を備えている。なお、トッププレートを固定支持する本体１の上面プレート１１は取り外し可能に構成されている。
【００１０】
本体１の背面は本体１の幅全体にわたってほぼ一様に窪ませた形状に形成されており、その窪み部８に冷却風を取り入れる吸気口２が設けられている。
この窪み部８を形成する本体１の背面は、上部背面１３ａと、上部背面１３ａより窪んだ位置にある下部背面１３ｂと、これら上部背面１３ａと下部背面１３ｂとを接続する連結面１３ｃとから構成されており、上記吸気口２を有する吸気口面３は下部背面１３ｂとして構成されている。図中、２１は加熱コイル７及び魚焼きなどに使用するグリル部２２の加熱具合を調節する操作パネルである。
【００１１】
次に、この誘導加熱調理器による調理時の冷却作用について説明する。冷却風は、冷却ファン６を回転させることによって吸気口２から本体内部に取り込まれる。本体内部に取り込まれた冷却風は、図１に矢印で示すように流れて、制御基板（図示せず）を冷却し、また加熱コイル７の組立体を支持するコイルユニット支持プレート（図示せず）に設けられた吹出口１７よりコイルユニット支持プレートと上面プレート１１との間に吹き出し、両プレート間の隙間を通って複数の加熱コイル７を冷却したのち、上面プレート１１に設けられた排気口５より外部へ排出される。
【００１２】
本実施の形態１によれば、吸気口２を有する吸気口面３が本体背面を本体１の幅全体にわたってほぼ一様に窪ませて構成されているので、窪み部８が空気の導入路となり、冷却風は本体１の側方から吸気口２へ取り込まれる。したがって、図２に示すように、キッチンの流し台１００や壁面１０１に密接させて誘導加熱調理器を設置した場合でも吸気口２が塞がれることなく吸気を行うことができる。また、排気口５は本体１の上面に設けられているので、吸気口２と排気口５とは同一面ではなく異なる面に設けてあるため、空気の流れが吸気側と排気側とで短絡するようなことは生じない。したがって、誘導加熱調理器の冷却効率が向上するという効果がある。誘導加熱調理器の高出力化にも十分に対応することが可能である。
また、誘導加熱調理器を隙間をあけずに壁面等に密接して設置することで、設置性がよく、隙間にごみなどが入らず設置できるという利点がある。
【００１３】
実施の形態２．
次に、本発明をキッチン組み込み型の誘導加熱調理器として適用した場合を示す。図３は実施の形態２における誘導加熱調理器の概略斜視図で、図４はその設置状態を示す概略側面図である。
本実施の形態２の誘導加熱調理器は、流し台１００の取付穴１０２に挿入して本体1を保持するための天板２０を設けた点、及び本体１の背面における前記連結面１３ｃを傾斜面とした点以外は前述の実施の形態１と同じである。したがって、同一の構成要素には同一符号を付して説明は省略する。なお、連結面１３ｃは実施の形態１と同様に水平面としても良いが、傾斜面とする方が好ましい。
【００１４】
本実施の形態２では、本体１の背面における連結面１３ｃが排気口５に対して上向きの傾斜面となっているので、排気をスムーズに行うことができる。そのため、圧力損失を低減でき、騒音も低減できる効果がある。また、本体１は重量があるためそれを設置する際、連結面１３ｃの傾斜面が案内面となり取付穴１０２への挿入が容易になるとともに、キッチン面を傷つけることなく設置することができる。
【００１５】
実施の形態３．
図５は本発明の実施の形態３における誘導加熱調理器の概略側面図である。
本実施の形態３では、実施の形態２と同様に、本体１の背面における連結面１３ｃを傾斜面とするものである。すなわち、吸気口２を有する吸気口面３を少なくとも下部背面１３ｂとして構成し、上部背面１３ａと下部背面１３ｂとを傾斜面１３ｃで接続する構成である。さらにまた、この傾斜面１３ｃにも別に吸気口４を設けるものである。その他の構成は実施の形態１と同様である。
【００１６】
本実施の形態３の傾斜面１３ｃは、実施の形態２と同様の作用効果がある。また、傾斜面１３ｃにも別に吸気口４を設けることにより、吸気口の面積を大きくとることができるため、圧力損失を低減することができる。
【００１７】
実施の形態４．
図６は本発明の実施の形態４における誘導加熱調理器の概略側面断面図である。
本実施の形態４では、傾斜面１３ｃの内側を本体１内部を冷却する冷却風路の一部として構成するものである。
本体１の上面後部から排出される排気に対して、傾斜面１３ｃを冷却風路の一部として構成することでスムーズな風路を形成することができ、圧力損失を低減することができる。また、冷却ファン６により本体下部に導入された冷却風が、制御基板を冷却した後に、Ｕターンして本体上部の各部材(加熱コイル等)を冷却する。その結果、本体内全域を冷却することができる。
【００１８】
実施の形態５．
図７は本発明の実施の形態５における誘導加熱調理器の概略上面図、図８は概略側面図である。
本実施の形態５は、吸気口面３を窪ませて形成される前記窪み部８を利用して誘導加熱調理器の電源コード１８を引き出す構成とするものである。すなわち、図７に示すように、窪み部８を電源コード１８の屈曲半径Ｒよりも大きく形成し（Ｒ＞Ｌ）、この窪み部８の内側に電源コード１８の導出口１９を設けるものである。
【００１９】
誘導加熱調理器の電源コード１８は直径が１０ｍｍ以上と大きいため、上記のように窪み部８を電源コード１８の屈曲半径Ｒよりも大きく形成することで、電源コード１８を無理に曲げることなく窪み部８内に収めることができる。そのため、誘導加熱調理器をキッチン側の壁面１０１に対して隙間をあけることなく密接して設置することができる。
【００２０】
また、図９に示すように、電源コード１８の導出口１９を傾斜面１３ｃに設けることもできる。この場合は、電源コード１８の直径が１０ｍｍ以上と大きいため、導出口１９の向きとコンセントの位置が問題となるが、傾斜面１３ｃに設けることで電源コード１８を窪み部８内に収めることができるため、上記同様に誘導加熱調理器をキッチン側の壁面１０１に対して隙間をあけることなく密接して設置することができる。
また、電源コード１８は傾斜面１３ｃに対して下向きに引き出されるため、水分が電源コード１８を伝わって本体内部に侵入するのを防ぐことができる。
【００２１】
また、図１０、図１１に示すように、電源コード１８のプラグ５１をコンセント５２に差し込んだ状態の長さよりも窪み部８の深さＬを大きくした場合は、直径の大きい電源コード１８をゆるやかに曲げることができるため、電源コード１８全体を窪み部８内に収めることができる。特に、窪み部８の深さＬは、コンセント５２にプラグ５１を差し込んだ状態より大きいので、本体設置の省スペースを図ることができる。
【００２２】
実施の形態６．
図１０は本発明の実施の形態６における誘導加熱調理器の背面プレートを取り外した状態を背面側から見た概略斜視図、図１１は概略側面図である。
本実施の形態６は、背面プレート１４を本体１に対して着脱可能に構成するものである。但し、背面プレート１４の固定を、上部（上部背面１３ａ）は後方側へ突出部のないフラットな取付構造とし、下部の窪み部８は締着構造とする。例えば、背面プレート１４の上部は皿ネジ等を用いた締着構造とするか、もしくは図１０に示すように、本体背面側に設けた係合穴１５に、背面プレート１４の上端部に突設した係合片１６を係合させる係合構造とする。背面プレート１４の下部は窪みが設けられているため、一般的なネジ頭を持つネジ２５により締着する。
【００２３】
本実施の形態６によれば、本体１の最背面は後方側へ突出部のないフラットな取付構造となっているため、上記同様に誘導加熱調理器をキッチン側の壁面１０１に対して隙間をあけることなく密接して設置することができる。
【図面の簡単な説明】
【００２４】
【図１】本発明の実施の形態１における誘導加熱調理器の概要を示す斜視図である。
【図２】図１の概略側面図である。
【図３】本発明の実施の形態２における誘導加熱調理器の概略側面図である。
【図４】図３の概略側面図である。
【図５】本発明の実施の形態３における誘導加熱調理器の概略斜視図である。
【図６】本発明の実施の形態４における誘導加熱調理器の概略側面断面図である。
【図７】本発明の実施の形態５における誘導加熱調理器の概略上面図である。
【図８】図７の概略側面図である。
【図９】本発明の実施の形態５における誘導加熱調理器の概略側面図である。
【図１０】本発明の実施の形態５における誘導加熱調理器の概略上面図である。
【図１１】図１０の概略側面図である。
【図１２】本発明の実施の形態６における誘導加熱調理器の背面プレートを取り外した状態を示す背面側の概略斜視図である。
【図１３】図１２の概略側面図である。
【符号の説明】
【００２５】
１  本体、２  吸気口、３  吸気口面、４  吸気口、５  排気口、６  冷却ファン、７  加熱コイル、８  窪み部、９  制御基板、１１  上面プレート、１３ａ  上部背面、１３ｂ  下部背面、１３ｃ  連結面（傾斜面）、１４  背面プレート、１７  吹出口、１８  電源コード、１９  導出口、２０  天板。
【図１】
2008071697.tif 000003
【図２】
2008071697.tif 000004
【図３】
2008071697.tif 000005
【図４】
2008071697.tif 000006
【図５】
2008071697.tif 000007
【図６】
2008071697.tif 000008
【図７】
2008071697.tif 000009
【図８】
2008071697.tif 000010
【図９】
2008071697.tif 000011
【図１０】
2008071697.tif 000012
【図１１】
2008071697.tif 000013
【図１２】
2008071697.tif 000014
【図１３】
2008071697.tif 000015